(57)【特許請求の範囲】
【請求項１】
電池を電源として蛍光灯を点灯させ、携帯型の蛍光灯照明として使用できるように形成された蛍光灯本体と、この蛍光灯本体を下方から着脱自在に保持するとともに、開口された窓部から前記蛍光灯本体のスイッチを露出させる覆いカバーと、この覆いカバーを車両シートのヘッドレストステーに装着するための装着具とを具備してなり、前記覆いカバーには斜め下方に向かうルーバ形成部を設け、蛍光灯の光を下方及び斜め下方に規制したことを特徴とする自動車用蛍光灯照明器具。
【請求項２】
蛍光灯本体の覆いカバーに対する着脱が、蛍光灯本体に設けられたマグネットを覆いカバーに設けられた強磁性体部材に吸着させる吸着構造として形成されてなる請求項１記載の自動車用蛍光灯照明器具。
【請求項３】
装着具の長さが調節可能に形成されてなる請求項１記載の自動車用蛍光灯照明器具。
【発明の詳細な説明】
【０００１】
【発明の属する技術分野】
本発明は、蛍光灯により自動車のルームランプを構成したもので、車両シートに取り付け可能とすると共に、蛍光灯本体を着脱自在として蛍光灯本体のみでも携帯照明の用に供することができる自動車用蛍光灯照明器具に関するものである。
【０００２】
【従来の技術】
蛍光灯は白熱電球による照明と異なり、明るく広範囲の照光ができ、熱の発散が少ないので、自動車のルームランプとしても適している。ルームランプは一般的には天井面に装着され、これに蛍光灯を用いたものは高級乗用車等に採用されている。運転中のルームランプの使用はガラス面での反射により運転に支障を与えるので、運転中は消灯するのが原則である。しかし、後部座席で読書等の用に供するために運転中にもルームランプを使用したい場合がある。そこで、前部座席の背部に後部座席用の照明を設けると、運転の支障とならないように後部座席で照明を得ることができる。このような後部座席用の照明として蛍光灯を用いた自動車用蛍光灯照明装置として、実開平４−２３１３４号公報に開示されたものが知られている。この従来構成は、図６に示すように、蛍光灯発光部４３をランプ本体４２に取り付けて構成されており、ランプ本体４２に形成された取付穴４４にヘッドレスト４６のステー４５を通し、ヘッドレスト４６をシート４７に装着することにより、蛍光灯照明器具が車両シート４７に装着されるようになっている。
【０００３】
【発明が解決しようとする課題】
しかしながら、上記従来構成は、ヘッドレスト４６のステー４５への取付け位置の調節が不可能であるため、特定の車両に限定されるものであり、ヘッドレスト４６の高さ位置を変えてしまうため、ヘッドレスト４６の機能を損なう恐れがある。また、この構成は前部座席の背部に取り付けた固定照明であり、自動車用の照明器具として車内はもちろんのこと、夜間のタイヤ交換や点検修理の用にも供することができる多用途な利用はできないものであった。
【０００４】
本発明が目的とするところは、蛍光灯本体をそれ自体で携帯用蛍光灯照明として使用できるものとして、これを車両シートに着脱自在に装着できるようにした自動車用蛍光灯照明器具を提供することにある。
【０００５】
【課題を解決するための手段】
上記目的を達成するための本発明は、電池を電源として蛍光灯を点灯させ、携帯型の蛍光灯照明として使用できるように形成された蛍光灯本体と、この蛍光灯本体を下方から着脱自在に保持するとともに、開口された窓部から前記蛍光灯本体のスイッチを露出させる覆いカバーと、この覆いカバーを車両シートのヘッドレストステーに装着するための装着具とを具備してなり、前記覆いカバーには斜め下方に向かうルーバ形成部を設け、蛍光灯の光を下方及び斜め下方に規制したことを特徴とする自動車用蛍光灯照明器具として構成されている。
【０００６】
この構成によれば、蛍光灯本体はそれ自体で携帯型の蛍光灯照明器具として使用でき、またこれを車両シートに装着された覆いカバーに下方から装着すると、開口された窓部から前記蛍光灯本体のスイッチが露出し、容易な操作でルームランプの用に供することができる。従って、蛍光灯本体は覆いカバーから取り外して夜間のタイヤ交換等の故障修理のための照明に供する他、蛍光灯照明による携帯ランプとして多様な用途に使用することもできる。また、覆いカバーに斜め下方に向かうルーバ形成部を設け、蛍光灯の光を下方及び斜め下方に規制したので、覆いカバーに装着した状態で光の拡散により運転に支障を与えることがないばかりでなく、後部シートの乗員の目に直接光が届く眩しさを解消して手元を照明する状態にできるという顕著な効果が得られる。
【０００７】
上記構成において、蛍光灯本体の覆いカバーに対する着脱は、蛍光灯本体に設けられたマグネットを覆いカバーに設けられた強磁性体部材に吸着させる吸着構造として形成することにより、蛍光灯本体の着脱が容易となり、マグネットにより自動車ボディに蛍光灯本体を吸着固定させることができるので、タイヤ交換時や修理点検時の照明を得る目的にも使用することができる。
【０００８】
上記装着具の長さを調節可能に形成することにより、車両シートの形状サイズによって変化するヘッドレストの位置に合わせて覆いカバーを最適な位置に装着することができる。
【０００９】
【発明の実施の形態】
以下、添付図面を参照して本発明の一実施形態について説明し、本発明の理解に供する。尚、以下に示す実施形態は本発明を具体化した一例であって、本発明の技術的範囲を限定するものではない。
【００１０】
図１において、本実施形態に係る自動車用蛍光灯照明器具Ａは、電池を電源として蛍光灯を点灯できるように構成された蛍光灯本体１を着脱可能に覆いカバー２内に装着できるように構成されており、この覆いカバー２に取り付けられた一対の装着アーム（装着具）３、３を車両シートのヘッドレストステーに装着することにより、自動車シートの背部に装着したルームランプとして使用することができると共に、蛍光灯本体１のみで携帯照明としても使用できるように構成されている。
【００１１】
前記覆いカバー２は、図２に示すように、車両シート２０のヘッドレスト２１に設けられたヘッドレストステーを装着アーム３に設けられたステー通し穴９に通して車両シート２０に装着することにより、車両シート２０の背部上方に取り付けられ、覆いカバー２内に収容された蛍光灯本体１を点灯させることにより、後部シートで蛍光灯照明を利用することができる。蛍光灯本体１からの光は覆いカバー２で覆われて直接には目に入らず、開放された下方及び図４に示すように斜め下方に向かうルーバー形成部１３から照光されるので、後部シートでの読書等に適した照明が得られると同時に、不要な光の拡散により運転に支障を与えることもない。
【００１２】
前記蛍光灯本体１は、図１に示すように、覆いカバー２から取り外すことができるので、蛍光灯本体１単独で使用することもでき、蛍光灯照明として夜間のタイヤ交換や故障修理等の用に供することができる他、自動車から離れて懐中電灯やランタンのような使途に活用することができる。
【００１３】
蛍光灯本体１は、図３（ａ）を正面図として、前記覆いカバー２に装着されたときには下方となる右側面側に、透明カバー７で覆われて蛍光灯６が装着されている。この蛍光灯は、本体ケース４内に装填された乾電池を電源として、これをＤＣ−ＡＣ変換して昇圧する蛍光灯点灯回路により点灯される。この点灯のＯＮ−ＯＦＦは、本体ケース４の正面側に設けられたスイッチノブ５によって操作できる。このスイッチノブ５は、蛍光灯本体１が覆いカバー２内に収納されたときには、図１に示すように、覆いカバー２に設けられたスイッチ窓１４から露出して、覆いカバー２内に収納されたときにもＯＮ−ＯＦＦ操作が自在にできるように構成されている。
【００１４】
また、前記乾電池の交換は、図３（ｃ）に示すように、本体ケース４の図示上の上側面に設けられた電池蓋１２をスライド操作することによって開放される電池収容部から電池を出し入れすることによってなされる。また、前記透明カバー７はケース４に対して着脱可能に装着されているので、蛍光灯６を交換することができる。
【００１５】
また、図３（ｂ）に示すように、前記覆いカバー２に装着されたときには上方となる左側面に、マグネット１１が取り付けられており、覆いカバー２に装着したときには、このマグネット１１が覆いカバー２に設けられた強磁性体部材１０（図４参照）に吸着して覆いカバー２内に装着される。このマグネット１１は、蛍光灯本体１を単独で使用するときには、自動車ボディ等に蛍光灯本体１を取り付ける用に供することができ、夜間のタイヤ交換やエンジンルーム内の点検等の照明として使用することができる。
【００１６】
前記蛍光灯本体１の覆いカバー２への装着は、図４の断面図に示すように、覆いカバー２の下方開放部からマグネット１が装着された側面を上にして蛍光灯本体１を覆いカバー２内に挿入することにより、覆いカバー２内に設けられた強磁性体部材１０に前記マグネット１１が吸着することによってなされる。マグネット１１は４ヵ所に取り付けられているので、強磁性体部材１０への吸着は確実になされ、自動車の振動等によって装着状態が外れることは生じない。覆いカバー２に装着された蛍光灯本体１の蛍光灯６からの光は、図４からも明らかなように、覆いカバー２で上方部分が覆われるため下方及びルーバー形成部１３から照光され、前述したように後部シートの乗員の目には直接光が届く眩しさが解消され、手元が照光される状態となる。
【００１７】
この覆いカバー２への装着状態から蛍光灯本体１を取り外すには、覆いカバー２の後方（シート２０側）に、図５に示すように中央部に大きく切り欠き部１９が形成されているので、シート２０との間から覆いカバー２内の蛍光灯本体１の上方に指を差し入れることができ、蛍光灯本体１の本体ケース４がその厚さを減じる斜部４ａに指先を掛けて引き出すと、蛍光灯本体１を傾けてマグネット１１を強磁性体部材１０から離脱させやすくした状態で引き離されるので、簡単に取り外すことができる。
【００１８】
覆いカバー２をシート２０に装着する装着アーム３は、シート２０の背面とヘッドレストステー２１ａとの間の距離を調節して、覆いカバー２がシート２０の背部に安定して装着できるように構成されている。図５に示すように、装着アーム３は、長穴１６が形成された金属材による骨格部材１７の表面側をゴム状弾性材によるカバー部材１５で覆って形成され、覆いカバー２の後部に形成されたアール部２２に沿って湾曲するように覆いカバー２に取り付けられる。この装着アーム３は前記長穴１６を通してネジ１８によって覆いカバー２に固定されるので、装着アーム３の覆いカバー２からの突き出し長さは、シート２０の背部からヘッドレストステー２１ａまでの距離に合わせて調節することができる。前記骨格部材１７は薄い金属材を幅寸法を小さくした形状に形成されているので、前記アール部２２に沿った湾曲位置を変えることが容易で、覆いカバー３からの突き出し長さを変更し、決定された突き出し長さでネジ１８により固定する。
【００１９】
この装着アーム３の突き出し長さの調節と共に、前記カバー部材１５のステー通し穴９部分は、割りを形成した凸部２３が形成されているので、図４に示すように、ヘッドレスト２１のヘッドレストステー２１ａ固定部の凹部に凸部２３が嵌まり込み、凸部２３に割りが形成されていることによりヘッドレストステー２１ａに嵌合して安定した状態に装着できる。また、ヘッドレスト２１とシート２０との間には装着アーム３が介在するのみで、この装着アーム３の厚さはヘッドレスト２１またはシート２０のクッション構造により吸収されてしまうので、この自動車用蛍光灯照明器具Ａを装着することによるヘッドレスト２１の高さ位置に変化を与えることはなく、ヘッドレスト２１の機能を損なうことはない。
【００２０】
尚、本実施形態においては、蛍光灯本体１の覆いカバー２への装着は、マグネット１１による吸着構造としているが、嵌合構造やネジ止め構造等により着脱可能に装着することもできる。また、覆いカバー２の車両シートへの装着構造は、ヘッドレスト一体型の車両シートにも対応できるように、結束ベルト等による結束構造に構成することもできる。
【００２１】
【発明の効果】
以上の説明の通り本発明によれば、単独で携帯用蛍光灯照明としても使用できる蛍光灯本体を車両シートに装着した覆いカバーに着脱自在に装着できるので、覆いカバーに装着したときには蛍光灯によるルームランプとしての使用ができ、覆いカバーから取り外すと携帯型の蛍光灯照明として使用することができる。また、蛍光灯本体はマグネット吸着構造を備えているので、自動車ボディへの取付けにより前記タイヤ交換や点検修理の際の使用の便を図ることができる。更に、蛍光灯本体はそれ自体で携帯用蛍光灯照明として懐中電灯やランタン等の用途にも使用でき、自動車を利用した釣りやキャンプ等のレジャー用途の使用にも活用することができる。
【図面の簡単な説明】
【図１】実施形態に係る自動車用蛍光灯照明器具の構成を示す斜視図。
【図２】実施形態に係る自動車用蛍光灯照明器具を車両シートに装着した状態を示す斜視図。
【図３】実施形態に係る蛍光灯本体の構成を示す（ａ）は正面図、（ｂ）は上側面図、（ｃ）は右側面図。
【図４】実施形態に係る自動車用蛍光灯照明器具を車両シートに装着した状態を示す断面図。
【図５】実施形態に係る自動車用蛍光灯照明器具の内面側の構成を示す斜視図。
【図６】従来構成に係る自動車用蛍光灯照明器具の構成を示す分解斜視図。
【符号の説明】
Ａ  自動車用蛍光灯照明器具
１  蛍光灯本体
２  覆いカバー
３  装着アーム（装着具）
５  スイッチノブ
６  蛍光灯
１０  強磁性体部材
１１  マグネット
２０  シート
２１  ヘッドレスト
２１ａ  ヘッドレストステー
【図１】
0003722983.tif 000002
【図２】
0003722983.tif 000003
【図３】
0003722983.tif 000004
【図４】
0003722983.tif 000005
【図５】
0003722983.tif 000006
【図６】
0003722983.tif 000007